(57)【特許請求の範囲】
【請求項１】
展開された画像の出力を行う画像出力装置であって、
画像入力装置で設定された出力を許可する装置の管理番号と前記画像出力装置の管理番号とが一致するか判別する第１判別手段と、
画像入力装置で設定された画像の管理番号と前記画像出力装置で入力された画像の管理番号とが一致するか判別する第２判別手段と、
前記第１判別手段により画像入力装置で設定された出力を許可する装置の管理番号と前記画像出力装置の管理番号とが一致しないと判別されるか、または前記第２判別手段により画像入力装置で設定された画像の管理番号と前記画像出力装置で入力された画像の管理番号とが一致しないと判別された場合、通常の画像の展開処理を行わず、前記第１判別手段により画像入力装置で設定された出力を許可する装置の管理番号と前記画像出力装置の管理番号とが一致すると判別され、かつ前記第２判別手段により画像入力装置で設定された画像の管理番号と前記画像出力装置で入力された画像の管理番号とが一致すると判別された場合、通常の画像の展開処理を行う画像展開手段とを有することを特徴とする画像出力装置。
【請求項２】
前記第２判別手段は、前記第１判別手段により画像入力装置で設定された出力を許可する装置の管理番号と前記画像出力装置の管理番号とが一致すると判別された場合、画像入力装置で設定された画像の管理番号と前記画像出力装置で入力された画像の管理番号とが一致するか判別することを特徴とする請求項１記載の画像出力装置。
【請求項３】
前記出力を許可する装置の管理番号は、１つの画像に対して複数設定されることを特徴とする請求項１記載の画像出力装置。
【請求項４】
前記画像展開手段は、前記第１判別手段により画像入力装置で設定された出力を許可する装置の管理番号と前記画像出力装置の管理番号とが一致しないと判別されるか、または前記第２判別手段により画像入力装置で設定された画像の管理番号と前記画像出力装置で入力された画像の管理番号とが一致しないと判別された場合、画像変換処理が施された展開処理を行うことを特徴とする請求項１記載の画像出力装置。
【請求項５】
展開された画像の出力を行う画像出力装置で実行される画像処理方法であって、
画像入力装置で設定された出力を許可する装置の管理番号と前記画像出力装置の管理番号とが一致するか判別する第１判別ステップと、
画像入力装置で設定された画像の管理番号と前記画像出力装置で入力された画像の管理番号とが一致するか判別する第２判別ステップと、
前記第１判別ステップにより画像入力装置で設定された出力を許可する装置の管理番号と前記画像出力装置の管理番号とが一致しないと判別されるか、または前記第２判別ステップにより画像入力装置で設定された画像の管理番号と前記画像出力装置で入力された画像の管理番号とが一致しないと判別された場合、通常の画像の展開処理を行わず、前記第１判別ステップにより画像入力装置で設定された出力を許可する装置の管理番号と前記画像出力装置の管理番号とが一致すると判別され、かつ前記第２判別ステップにより画像入力装置で設定された画像の管理番号と前記画像出力装置で入力された画像の管理番号とが一致すると判別された場合、通常の画像の展開処理を行う画像展開ステップとを有することを特徴とする画像処理方法。
【請求項６】
前記第２判別ステップは、前記第１判別ステップにより画像入力装置で設定された出力を許可する装置の管理番号と前記画像出力装置の管理番号とが一致すると判別された場合、画像入力装置で設定された画像の管理番号と前記画像出力装置で入力された画像の管理番号とが一致するか判別することを特徴とする請求項５記載の画像処理方法。
【請求項７】
前記出力を許可する装置の管理番号は、１つの画像に対して複数設定されることを特徴とする請求項５記載の画像処理方法。
【請求項８】
前記画像展開ステップは、前記第１判別ステップにより画像入力装置で設定された出力を許可する装置の管理番号と前記画像出力装置の管理番号とが一致しないと判別されるか、または前記第２判別ステップにより画像入力装置で設定された画像の管理番号と前記画像出力装置で入力された画像の管理番号とが一致しないと判別された場合、画像変換処理が施された展開処理を行うことを特徴とする請求項５記載の画像処理方法。
【請求項９】
展開された画像の出力を行う画像出力装置で実行されるプログラムを記憶した記憶媒体であって、
画像入力装置で設定された出力を許可する装置の管理番号と前記画像出力装置の管理番号とが一致するか判別する第１判別ステップと、
画像入力装置で設定された画像の管理番号と前記画像出力装置で入力された画像の管理番号とが一致するか判別する第２判別ステップと、
前記第１判別ステップにより画像入力装置で設定された出力を許可する装置の管理番号と前記画像出力装置の管理番号とが一致しないと判別されるか、または前記第２判別ステップにより画像入力装置で設定された画像の管理番号と前記画像出力装置で入力された画像の管理番号とが一致しないと判別された場合、通常の画像の展開処理を行わず、前記第１判別ステップにより画像入力装置で設定された出力を許可する装置の管理番号と前記画像出力装置の管理番号とが一致すると判別され、かつ前記第２判別ステップにより画像入力装置で設定された画像の管理番号と前記画像出力装置で入力された画像の管理番号とが一致すると判別された場合、通常の画像の展開処理を行う画像展開ステップと画像出力装置に実行させるプログラムを記憶した記憶媒体。
【請求項１０】
前記第２判別ステップは、前記第１判別ステップにより画像入力装置で設定された出力を許可する装置の管理番号と前記画像出力装置の管理番号とが一致すると判別された場合、画像入力装置で設定された画像の管理番号と前記画像出力装置で入力された画像の管理番号とが一致するか判別することを特徴とする請求項９記載の記憶媒体。
【請求項１１】
前記出力を許可する装置の管理番号は、１つの画像に対して複数設定されることを特徴とする請求項９記載の記憶媒体。
【請求項１２】
前記画像展開ステップは、前記第１判別ステップにより画像入力装置で設定された出力を許可する装置の管理番号と前記画像出力装置の管理番号とが一致しないと判別されるか、または前記第２判別ステップにより画像入力装置で設定された画像の管理番号と前記画像出力装置で入力された画像の管理番号とが一致しないと判別された場合、画像変換処理が施された展開処理を行うことを特徴とする請求項９記載の記憶媒体。
【発明の詳細な説明】
【０００１】
【発明の属する技術分野】
本発明は、展開された画像の出力を行う画像出力装置に画像処理に関するものである。
【０００２】
【従来の技術】
先ず、この種の画像処理装置において利用されているＤＰＯＦ（Ｄｉｇｉｔａｌ  Ｐｒｉｎｔ  Ｏｒｄｅｒ  Ｆｏｒｍａｔ）ファイルとは、自動プリント情報を電子写真画像ファイルとともに、リムーバルメディア内に格納し、プリント時に利用することを目的として規格化されたファイルフォーマットである。ＤＰＯＦファイルには、リムーバルメディア中の特定の電子写真画像をプリントするために必要な情報が記述されている。
【０００３】
従来、この種の画像処理装置では、ラボプリントサービス向けに印刷処理の電子化を目的としてＤＰＯＦファイルを活用した一括印刷処理が行われてきた。一方、会社内で使用されている高解像度＆高速な白黒／フルカラーのレーザプリンタなどでも、リムーバルメディア内に格納されている電子写真画像を他の電子機器を介さず、直接印刷する機種が登場し始めてきている。
【０００４】
【発明が解決しようとする課題】
しかしながら、上記従来の画像処理装置ではディジタルカメラ等で撮影された画像をＰＣを介さずに簡単に印刷フォーマットに沿って１画像を１枚の用紙に印刷する事が無条件で可能であるため、例えば、個人的に画像入力した画像を、自宅のパーソナルプリンタではなく高解像度で高速な会社のプリンタで印刷してしまうといった問題が発生する。
【０００５】
また、入力した画像自体に著作権がある場合に、誰でもが簡単に画像を複数枚、印刷処理ができてしまうといった問題もある。
【０００６】
本発明は、上記の課題を解決するためになされたもので、本発明の目的は、出力を許可された画像出力装置の管理番号と一致しない画像出力装置から不正な画像出力を確実に防止できる仕組みを提供することである。
【０００７】
また、第２の目的は、所定の記録媒体から入力されている各画像データと各画像データに関する内容を記述した情報ファイルとを読み出し可能な画像処理装置において、記録媒体に記録されている画像データを出力する際に、該記録媒体に記憶された所定の記録媒体から読み出される画像データの情報ファイルにより特定される画像出力機器の情報及び各画像データの出力を制限する管理情報と、出力手段に設定されるデバイス情報及び入力される管理情報とを比較判別して、画像データの出力処理を制御することにより、記録媒体に記録された画像データに対する出力環境を調整して、画像データ出力時に入力された管理番号が記録媒体に記録された情報ファイルから特定される出力環境と一致しない場合には、該画像データの出力態様を変更して、正常な画像出力が行えないように一定の制限を加えることで、不正な画像出力を確実に防止できる画像処理環境を自在に構築することができる画像処理装置および画像処理方法およ記録媒体を提供することである。
【０００８】
【課題を解決するための手段】
本発明に係る画像出力装置は、以下の特徴的構成を備える。
展開された画像の出力を行う画像出力装置であって、画像入力装置で設定された出力を許可する装置の管理番号と前記画像出力装置の管理番号とが一致するか判別する第１判別手段と、画像入力装置で設定された画像の管理番号と前記画像出力装置で入力された画像の管理番号とが一致するか判別する第２判別手段と、前記第１判別手段により画像入力装置で設定された出力を許可する装置の管理番号と前記画像出力装置の管理番号とが一致しないと判別されるか、または前記第２判別手段により画像入力装置で設定された画像の管理番号と前記画像出力装置で入力された画像の管理番号とが一致しないと判別された場合、通常の画像の展開処理を行わず、前記第１判別手段により画像入力装置で設定された出力を許可する装置の管理番号と前記画像出力装置の管理番号とが一致すると判別され、かつ前記第２判別手段により画像入力装置で設定された画像の管理番号と前記画像出力装置で入力された画像の管理番号とが一致すると判別された場合、通常の画像の展開処理を行う画像展開手段とを有することを特徴とする。
【０００９】
本発明に係る画像処理方法は、以下の特徴的構成を備える。
展開された画像の出力を行う画像出力装置で実行される画像処理方法であって、画像入力装置で設定された出力を許可する装置の管理番号と前記画像出力装置の管理番号とが一致するか判別する第１判別ステップと、画像入力装置で設定された画像の管理番号と前記画像出力装置で入力された画像の管理番号とが一致するか判別する第２判別ステップと、前記第１判別ステップにより画像入力装置で設定された出力を許可する装置の管理番号と前記画像出力装置の管理番号とが一致しないと判別されるか、または前記第２判別ステップにより画像入力装置で設定された画像の管理番号と前記画像出力装置で入力された画像の管理番号とが一致しないと判別された場合、通常の画像の展開処理を行わず、前記第１判別ステップにより画像入力装置で設定された出力を許可する装置の管理番号と前記画像出力装置の管理番号とが一致すると判別され、かつ前記第２判別ステップにより画像入力装置で設定された画像の管理番号と前記画像出力装置で入力された画像の管理番号とが一致すると判別された場合、通常の画像の展開処理を行う画像展開ステップとを有することを特徴とする。
【００３８】
【発明の実施の形態】
図１は、本発明の第１実施形態を示す画像処理装置の画像出力装置側の構成を説明するブロック図である。
【００３９】
図１において、ＣＰＵ１０３はＲＯＭ１０４に格納された各種制御プログラムを実行し、必要に応じてＲＡＭ１０７にデータを書き込んだり、参照する処理を行なう。また、ＲＯＭ１０４に格納されたプログラムの一部またはすべてを、ＲＡＭ１０７に転送後にＣＰＵ１０３がＲＡＭ１０７のプログラムに基づいて動作してもよい。
【００４０】
ＲＯＭ１０４には、画像処理装置全体の処理を司るメインプログラムのほかに、各種処理を実行するためのプログラムが格納されており、ＤＰＯＦファイルの読み込み処理や解析処理に関係するプログラムや、操作部１０１を制御するプログラム等も格納されている。
【００４１】
ＲＡＭ１０７には操作部１０１から入力されたパラメータの設定情報、プリンタ部１０８に対する印刷処理選択情報などの印刷にかかわる情報、ＤＰＯＦファイルの内容およびこれを解析した結果、解析結果に基づいて生成される印刷データ、カード読取ユニット１０５から読み込まれた画像ファイル自体の一時的な格納などといった各種のパラメータ情報とデータが格納され、必要に応じてＣＰＵ１０３によって参照、書き換えが行なわれる。その他、画像処理を行なうにあたって、必要となるバッファメモリ、ワークメモリとしても使用される。
【００４２】
操作部１０１は、機能を選択するために必要な情報を表示するための表示デバイスや、機能選択および印刷実行指示を行なうためのキーなどの入力デバイスを備える。インタフェース部１０２は記録メディアに記録された情報を読み取るためのインタフェース手段であり、本実施形態では、カード読取ユニット１０５を介在して、ＰＣカードに記録された情報を読み取る。
【００４３】
また、カード読取ユニット１０５に代わって、その他の（例えば光磁気ディスク読取ユニットなど）記録メディア読取ユニットをインタフェース部１０２に交換もしくは追加することにより、各種の記録メディアに記録された内容を幅広く読み取ることも可能である。
【００４４】
カード読取ユニット１０５は、画像処理装置にセットされたＰＣカード（例えば、Ｆｌａｓｈメモリカードなど）の読取処理を行いインタフェース部１０２を経由して、読み取った内容をＲＡＭ１０７に格納したり、もしくは、ＲＡＭ１０７を介在せずに直接画像処理部１０６を経由してプリンタ部１０８に画像データを送り込む処理を行なう。
【００４５】
カード読取ユニット１０５には、記録メディアからの画像処理装置への情報の読取、もしくはその逆の処理（画像処理装置から記録メディアに情報を書き込む）を行なっている場合など、記録メディアへアクセスしていることを表示するＬＥＤを備え付けてもよい。
【００４６】
また、操作部１０１からの指示によって、直接、もしくはＲＡＭ１０７に格納された情報の一部もしくはすべてを、記録メディアに書き込む処理を行なうことも可能である。
【００４７】
ＤＰＯＦファイルの読み取りおよび電子画像の読み取り（もしくは書き込み）は、このカード読取ユニット１０５を介して行なわれる。
【００４８】
画像処理部１０６は、ＲＡＭ１０７に展開された印刷のための画像データ、もしくはカード読取ユニット１０５から直接読み込まれた画像データを、プリンタ部１０８で最適に印刷処理ができるように画像処理を行なうユニットである。
【００４９】
プリンタ部１０８は、画像処理部１０６から転送されてきた画像データを印刷するためのユニットであり、サーマルインクジェット方式、電子写真方式、ドットインパクト方式、昇華式熱転写方式などの各種の印刷手段が提供されている。
【００５０】
図２は、本発明の第１実施形態を示す画像処理装置の画像入力装置側の構成を説明するためのブロック図である。
【００５１】
図２において、ＣＰＵ２０３はＲＯＭ２０４に格納された各種制御プログラムを実行し、必要に応じてＲＡＭ２０７にデータを書き込んだり、参照する処理を行なう。
【００５２】
また、ＲＯＭ２０４に格納されたプログラムの一部またはすべてを、ＲＡＭ２０７に転送後にＣＰＵ２０３がＲＡＭ２０７のプログラムに基づいて動作してもよい。ＲＯＭ２０４には、画像処理装置全体の処理を司るメインプログラムのほかに、各種処理を実行するためのプログラムが格納されており、ＤＰＯＦファイルの読み込み処理や解析処理に関係するプログラムや、操作部２０１を制御するプログラム等も格納されている。
【００５３】
ＲＡＭ２０７には操作部２０１から入力されたパラメータの設定情報、スキャナ部２０８に対するスキャナ解像度やスキャン範囲などの画像のスキャン動作にかかわる情報、ＤＰＯＦファイルの内容およびこれを解析した結果、解析結果に基づいて生成されるスキャン画像データ、カード読取ユニット２０５に記録する前の画像ファイルの一時的な格納などといった各種のパラメータ情報とデータが格納され、必要に応じてＣＰＵ２０３によって参照、書き換えが行なわれる。
【００５４】
その他、画像処理を行なうにあたって、必要となるバッファメモリ、ワークメモリとしても使用される。
【００５５】
操作部２０１は、機能を選択するために必要な情報を表示するための表示デバイスや、機能選択および原稿画像のスキャン実行指示を行なうためのキーなどの入力デバイスを備える。インタフェース部２０２は記録メディアにスキャナした画像を記録媒体に記録するためのインタフェース手段であり、本実施形態では、カード読取ユニット２０５を介在して、ＰＣカードにスキャンした画像やその他の他のパラメータの記録、および情報を読み取る。
【００５６】
また、カード読取ユニット２０５に代わって、その他の（例えば光磁気ディスク読取ユニットなど）記録メディア読取ユニットをインタフェース部２０２に交換もしくは追加することにより、各種の記録メディアに記録された内容を幅広く読み取ることも可能である。
【００５７】
カード読取ユニット２０５は、画像処理装置にセットされたＰＣカード（例えば、Ｆｌａｓｈメモリカードなど）の読取り処理を行いインタフェース部２０２を経由して、スキャナで読み取った画像の内容をＲＡＭ２０７から格納したり、もしくは、ＲＡＭ２０７を介在せずに直接画像処理部２０６を経由してスキャナ部２０８から画像データを送り込む処理を行なう。
【００５８】
カード読取ユニット２０５には、記録メディアからの画像処理装置への情報の読み取り、もしくはその逆の処理を（画像処理装置から記録メディアに情報を書き込む）行なっている場合など、記録メディアへアクセスしていることを表示するＬＥＤを備え付けてもよい。
【００５９】
また、操作部２０１からの指示によって、直接、もしくはＲＡＭ２０７に格納された情報の一部もしくはすべてを、記録メディアに書き込む処理を行なうことも可能である。ＤＰＯＦファイルの読み取りおよび電子画像の読取（もしくは書き込み）は、このカード読取ユニット２０５を介して行なわれる。
【００６０】
画像処理部２０６は、ＲＡＭ２０７にスキャンされた画像データ、もしくはスキャナ部２０８から直接読み込まれた画像データの画像処理を行なうユニットである。
【００６１】
スキャナ部２０８は、原稿画像をスキャンするためのユニットであり、ＣＣＤを用いたフラットベッド・スキャナ、ディジタル・カメラ、シートフィード・スキャナなどが提供されている。また、スキャナ部２０８に、原稿自動給送装置（ドキュメント・フィーダ）を設置し、複数原稿を、一度にＲＡＭ２０７や記録媒体に読み込む動作を行なうことも可能である。
【００６２】
図３は、本発明に係る画像処理装置における第１のデータ処理手順の一例を示すフローチャートであり、図２に示した画像処理装置のスキャン処理手順に対応する。なお、（３０１）〜（３１３）は各ステップを示し、各ステップに対応する処理プログラムはＲＯＭ２０４に格納されており、ＣＰＵ２０３によって実行される。
【００６３】
先ず、ステップ（３０１）で、電源投入がなされると、ＣＰＵ２０３は処理を開始し、ステップ（３０２）で初期化処理を行なう。そして、ステップ（３０３）でカード読取ユニット２０５に記録メディアがセットされているかどうかのチェックを行い、メディアが無いと判断した場合は、メディアがセットされるまで、メディア挿入待ちとなる。なお、メディア挿入待ちの場合、操作部２０１にその旨を表示する。
【００６４】
一方、ステップ（３０３）で、メディアがセットされていると判断された場合は、ステップ（３０４）へ進み、画像処理装置がデフォルト値として保持しているスキャンパラメータの設定が行なわれる。デフォルトのスキャンパラメータには、例えばスキャナ部２０８の物理的な特徴（スキャン可能領域や、使用可能な用紙サイズの情報、カラースキャンの実行の可否など）が含まれる。
【００６５】
次に、ステップ（３０５）に進み、パネル表示が行なわれる。
【００６６】
なお、パネルに表示される内容には、記録メディアに格納された画像をサムネイル形式で表示したり、スキャンを実行するための処理の選択項目（例えば解像度の設定、スキャンする際の画像濃度設定、カラーでのスキャン実行の有無、取り込む画像サイズの設定など）、また、その他のパラメータの表示が行なわれる。
【００６７】
ここで、操作部２０１に１画面の表示ですべての表示ができない場合、キー入力などによって、表示を切り替える。また、操作部２０１が画像表示ができない装置の場合には、画像をファイル名で表示してもよい。
【００６８】
そして、パネル表示処理を完了すると、ステップ（３０６）で、キー入力待ち状態となる。なお、操作部２０１がタッチパネル機能を備えている場合は、キー入力以外にもタッチパネルからの入力も有効となる。
【００６９】
キー入力されると、ステップ（３０７）で、入力されたキーを判別し、判別されたキー入力に基づいて、その後の処理が行なわれる。
【００７０】
そして、ステップ（３０７）で、他のキーが選択された場合、ステップ（３０９）では、従来からある、記録メディアに記録された画像の消去や、ＲＡＭ２０７にすでにスキャンし実行された画像を消去したり、記録メディアへの書き込みを行なうための処理、またその他のパラメータの変更を行なうための操作部表示と処理が行なわれる。
【００７１】
ステップ（３０７）で、スキャン実行キーが選択された場合は、ステップ（３１０）へ進み、スキャン実行モード設定が行なえる操作部表示となり、スキャンする原稿サイズの設定、スキャン濃度設定の変更、スキャン解像度の設定、カラースキャンの有無などの設定が行なえる。
【００７２】
その後、スキャン開始を操作部２０１から指示することにより、ステップ（３１１）に処理が移行し、スキャン処理が開始される。
【００７３】
なお、スキャンした画像は直接、記録メディアに記録を行なってもよいし、一時的にＲＡＭ２０７に保存してもよい。
【００７４】
一方、ステップ（３０７）で、画像情報の書き込みモードがキー操作により選択されると、ステップ（３０８）へ進み、画像情報を書き込むための操作画面が、操作部２０１に表示される。なお、画像情報の書き込みモードが選択された場合の処理のフローチャートに関しては図４で後述する。
【００７５】
上記の各種キー入力に応じた処理が選択されると、その実行結果を操作部２０１に反映させるために、ステップ（３０５）へ戻り、パネル表示状態に処理が移行し、実行結果を操作部２０１に表示する。実行結果を操作部２０１に表示した後、再度ステップ（３０６）のキー待ち状態となり、次のキー入力に応じた処理を繰り返し実行する。
【００７６】
また、一連の処理の途中で、記録メディアをカード読取ユニット２０５から排出した場合は、ステップ（３０３）の記録メディアのチェック状態に移行し、再度、記録メディアが挿入されるまで処理がループされる。
【００７７】
一方、ステップ（３０７）で、電源ＯＦＦキーが選択されると、ステップ（３１２）へ進み、画像処理装置の終了処理を行い、処理を終了する（３１３）。
【００７８】
なお、電源ＯＦＦキーは、一連の処理の途中で受け付けてもよい。また電源ＯＦＦキーが選択された場合で、記録メディアに記録する内容がある場合には、情報を書き込むか否かの選択画面を操作部２０１に表示してもよい。
【００７９】
図４は、本発明に係る画像処理装置における第２のデータ処理手順の一例を示すフローチャートであり、画像情報の書き込みを行なう際の処理手順に対応する。なお、（４０１）〜（４０８）は各ステップを示す。
【００８０】
図４において、画像情報の書き込みモードが選択されると、ステップ（４０１）に移行して画像情報の書き込みモードに移行する。そして、ステップ（４０２）で、スキャン実行してＲＡＭ２０７に一時的に保管されている（まだ記録メディアに記録されていない）画像の一覧表示を行なう。
【００８１】
なお、操作部２０１の制限で画像の一覧表示ができない場合には、操作部２０１からのキー入力等により画像をスクロールさせて表示したり、画像のファイル名のみを表示する方法でもよい。
【００８２】
そして、ステップ（４０３）では操作部２０１からのキー入力待ち状態となる。画像情報を書き込みたい画像を選択するキー入力であると判定されると、ステップ（４０４）で、画像選択を行い、ステップ（４０３）へ戻る。
【００８３】
一方、ステップ（４０３）で、画像情報の書き込みを選択するキー入力であると判定された場合は、ステップ（４０５）へ進み、図５に示すような画像情報の書き込み、もしくは、既に記録されている画像情報の上書きを行なう。そして、すべての画像に対して情報の書き込みが完了したら、ステップ（４０３）において処理の終了を選択するキー入力を行うと、ステップ（４０７）へ進み、処理終了のための後処理を行い、ステップ（４０８）で画像情報の書き込み処理を終了する。なお、画像情報の書き込みはＤＰＯＦ規格で定められたベンダー機能の拡張部分に記録される。
【００８４】
図５は、図２に示した操作部２０１に表示される画像書込操作画面の一例を示す図である。
【００８５】
図５において、５０１は画像情報を書き込むために選択した画像の縮小表示エリアである。５０２は画像のファイル名表示エリアである。ファイル名はスキャン動作時に設定するようにしてもよいし、この画面で上書き設定できるようにしてもよい。
【００８６】
５０３はスキャンした画像のサイズ表示エリアであり、この情報は上書きできない。５０４はこの画像がスキャンされた日時を示す画像生成日時表示エリアである。５０５はこの画像が、カラー画像か、白黒画像かどうかを表示するカラーの有無表示エリアである。操作部２０１がカラー表示可能な場合、このエリア５０５の情報は表示しなくともよい。
【００８７】
５０６はスキャン解像度を表示する解像度表示エリアである。５０７は画像の管理番号を表示する管理番号表示エリアである。画像に管理番号を設定して、出力装置からでの画像出力を制限する場合、ここに、任意の管理番号を設定する。また設定しないことも可能である。５０８は図２の構成の画像入力装置のスキャナ管理番号表示エリアである。この番号は入力装置のシリアル番号などの情報であり、上書きはできない。
【００８８】
５０９はエリア５０１で表示している画像の出力を許可する装置の機器管理番号表示エリアである。機器管理番号表示エリア５０９で設定する出力装置の機器管理番号には、本実施形態では、図１に示す構成の出力装置のシリアル番号である。
【００８９】
なお、機器管理番号表示エリア５０９で設定する、出力を許可する装置の機器管理番号は１つの画像に対して複数設定が可能なように構成してもよい。また、特定の出力装置による出力の制限を行なわない場合には、何も入力しないか、あらかじめ定められた出力装置の機器管理番号を入力することも可能である。
【００９０】
５１０はキャンセルボタンで、画像情報を書き込まずにこの処理を終了する際に押下する。５１１は画像情報の書き込み実行ボタンで、このボタンを押下することにより、画像の縮小表示エリア５０１に情報を書き込む（実際の画像情報としてはＤＰＯＦ規格で定められたベンダー機能の拡張部分に記録される）。
【００９１】
図６は、本発明に係る画像処理装置における第３のデータ処理手順の一例を示すフローチャートであり、図１に示した画像処理装置の画像出力処理手順に対応する。なお、（６０１）〜（６１５）は各ステップを示し、各ステップに対応する処理プログラムはＲＯＭ１０４に格納されており、ＣＰＵ１０３によって実行される。
【００９２】
先ず、ステップ（６０１）で、電源投入されると、ＣＰＵ１０３は処理を開始し、ステップ（６０２）で初期化処理を行なう。そして、ステップ（６０３）でカード読取ユニット１０５に記録メディアがセットされているかどうかのチェックを行い、メディアが無いと判断された場合は、メディアがセットされるまで、メディア挿入待ちとなる。なお、メディア挿入待ちの場合、操作部１０１にその旨を表示する。
【００９３】
一方、ステップ（６０３）で、メディアがセットされていると判断された場合は、ステップ（６０４）に処理が進み、記録メディアに格納されているＤＰＯＦファイルの読み込みを行なう。そして、ステップ（６０５）で、ＤＰＯＦファイルに従った機能モードの設定が行なわれる。
【００９４】
次に、ステップ（６０６）では、ＤＰＯＦファイルに関係なく、画像処理装置がデフォルト値として保持している印刷パラメータの設定が行なわれる。デフォルト印刷パラメータには、例えばプリンタ部１０８の物理的な特徴（印刷可能領域や、使用可能な用紙サイズの情報など）が含まれる。
【００９５】
ここで、ＤＰＯＦと機器のデフォルト印字パラメータにより、印刷の設定が完了すると、ステップ（６０７）に進み、パネル表示が行なわれる。パネルに表示される内容には、図７に示されるように記録メディアに格納されたサムネイル画像が表示される。
【００９６】
図７は、本発明に係る画像処理装置における記録メディアに格納されるサムネイル画像の一例を示す図であり、サムネイル画像７１１〜７１５が格納されている例に対応する。
【００９７】
なお、操作部１０１に１画面の表示ですべての表示ができない場合、キー入力などによって、表示を切り替える。また、操作部１０１が画像表示ができない装置の場合、画像のファイル名を表示してもよい。
【００９８】
そして、パネル表示処理を完了すると、ステップ（６０８）でキー入力待ち状態となる。なお、操作部１０１がタッチパネル機能を備えている場合はキー入力以外にもタッチパネルからの入力も有効となる。
【００９９】
ここで、キー入力されると、ステップ（６０９）で、入力されたキーを判別し、判別されたキー入力に基づいて、その後の処理が行なわれる。
【０１００】
ステップ（６０９）で、その他の印刷パラメータ変更を指示するキー入力であると判定された場合は、ステップ（６１１）では従来からある、印刷レイアウトの変更や印刷配置レイアウトのテンプレート処理などの変更を行なうための操作部表示と処理が行なわ、その後、ステップ（６０７）へ戻る。
【０１０１】
一方、ステップ（６０９）で、入力されたキーが印刷実行キーが選択されたと判定した場合は、ステップ（６１２）に処理が移行し、印刷実行モード設定が行なえる操作部表示となり、印刷枚数の設定変更、印刷濃度設定の変更、印刷用紙サイズ、マージンの設定変更などが行なえる。その後、印刷開始を操作部１０１から指示することにより、ステップ（６１３）に処理が移行し、印刷処理が開始され、印刷処理終了後、ステップ（６０７）へ戻る。なお、印刷実行時のデータ処理については、図１０に示すフローチャートを参照して後述する。
【０１０２】
一方、ステップ（６０９）で、画像情報の入力モードが選択されるキー入力であると判断した場合は、ステップ（６１０）に進み、画像情報の入力モードを設定するための操作画面が、操作部１０１に表示され、画像情報の入力モードを実行して、ステップ（６０７）へ戻る。
【０１０３】
なお、ステップ（６１０）における画像情報の入力モードが選択された場合の処理は、図８に示すフローチャートを参照して後述する。
【０１０４】
なお、ステップ（６０９）で、各種キー入力に応じた処理が選択されると、その実行結果を操作部１０１に反映させるために、ステップ（６０７）へ戻り、のパネル表示状態に処理が移行し、実行結果を操作部１０１に表示する。実行結果を操作部１０１に表示した後、再度、ステップ（６０８）のキー待ち状態となり、次のキー入力に応じた処理を繰り返し実行する。
【０１０５】
また、一連の処理の途中で、記録メディアをカード読取ユニット１０５から排出した場合は、ステップ（６０３）の記録メディアのチェック状態に移行し、再度、記録メディアが挿入されるまで処理がループされる。
【０１０６】
また、ステップ（６０９）において、電源ＯＦＦキーが選択されると、ステップ（６１４）に移行し、画像処理装置の終了処理を行い、ステップ（６１５）で、処理を終了する。
【０１０７】
なお、電源ＯＦＦキーは、一連の処理の途中で受け付けてもよい。また、電源ＯＦＦキーが選択された場合で、記録メディアに記録する内容がある場合には、情報を書き込むかいなかの選択画面を操作部１０１に表示してもよい。
【０１０８】
図８は、本発明に係る画像処理装置における第４のデータ処理手順の一例を示すフローチャートであり、図６に示したステップ（６１０）における画像情報の入力モード処理手順の詳細手順に対応する。なお、（８０１）〜（８０５）は各ステップを示す。
【０１０９】
図６に示したステップ（６１０）において、画像情報の入力モードが選択されると、ステップ（８０１）に移行し、画像情報の入力モードとなる。そして、ステップ（８０２）では、操作部１０１で選択した、画像情報を設定する画像の、入力装置（図２で説明した入力装置）で設定されている内容を、例えば図９に示すような形式で操作部１０１に表示する。
【０１１０】
図９は、図１に示した操作部１０１に表示される画像情報の設定操作画面の一例を示す図である。以下、例として図７に示される画像７１１の場合について説明する。
【０１１１】
図９において、１００１は画像表示エリアで、選択された画像７１１の縮小表示が行なわれている。
【０１１２】
１００２は画像ファイル名表示エリアで、画像７１１の画像ファイル名が表示される。１００３は画像サイズ表示エリアで、記録された画像７１１のファイルサイズが表示される。
【０１１３】
１００４は画像生成日時表示エリアで、画像７１１が図２で示される入力装置によって記録された画像生成日時が表示される。１００５はカラーの有無表示エリアで、画像７１１の画像がカラー画像か否かが表示される。
【０１１４】
１００６は画像解像度表示エリアで、画像７１１の画像解像度が表示される。
【０１１５】
なお、各表示エリア１００２〜１００６の内容に関しては、図１で示す出力装置側では変更できない。また、画像の管理番号表示エリア１００７では、図５に示した画像の管理番号エリア５０７で入力された画像の管理番号を入力できる。なお、画像の管理番号エリア５０７で設定された画像管理番号は、図９ではあらかじめ表示されることは無い（表示するためには図２で示す入力装置で参照する必要がある）。画像の管理番号表示エリア１００７で画像の管理番号を入力して設定実行ボタン１０１１で設定を実行するか、キャンセルボタン１０１０でキャンセルするかを選択できる。
【０１１６】
出力装置の管理番号エリア１００８は、図１で示している画像出力装置の管理番号が表示されている。
【０１１７】
なお、図５に示した画像の管理番号エリア５０９において、画像を出力する出力装置を制限する場合には、この出力装置の管理番号エリア１００８で表示されている管理番号を、出力を許可する装置の管理番号５０９で入力する必要がある（５０９で入力が無い場合には、出力装置の制限は行なわれない）。
【０１１８】
そして、ステップ（８０３）で、画像７１１の画像管理番号を入力する。この入力を実行して、設定実行ボタン１０１１を押した際に、図５に示した画像の管理番号エリア５０７で設定された内容と異なる場合、再入力を促してもよいし、そのままにしてもよい。そして、入力が完了すると、ステップ（８０４）に移行して、終了処理が行なわれ、ステップ（８０５）で、画像情報の入力モードに関する処理を終了する。
【０１１９】
図１０は、本発明に係る画像処理装置における第５のデータ処理手順の一例を示すフローチャートであり、図６に示したステップ（６１３）における印刷実行時の処理手順例に対応する。なお、（９０１）〜（９０７）は各ステップを示す。
【０１２０】
印刷が実行されると、ステップ（９０１）の処理が開始され、ステップ（９０２）において、機器の管理番号の比較が行なわれる。ここで、比較されるのは、図５に示した管理番号エリア５０９で設定された出力を許可する装置の管理番号と、図９に示した管理番号エリア１００８で表示される出力装置の管理番号が一致しているか否かである。ここで、一致しないと判断された場合、例えば管理番号エリア５０９で設定された出力を許可する装置の管理番号の一覧の中に、管理番号エリア１００８の機器管理番号が含まれていないと判断した場合、ステップ（９０５）へ移行し、含まれていると判断した場合には、ステップ（９０３）へ移行する。
【０１２１】
そして、ステップ（９０３）では、図５に示した管理番号表示エリア５０７で設定された画像の管理番号と、図９に示した管理番号表示エリア１００７で入力された画像の管理番号が一致するか否かを比較し、一致すると判断した場合には、ステップ（９０４）へ移行し、一致しないと判断した場合には、ステップ（９０５）へ移行する。
【０１２２】
そして、ステップ（９０４）では、通常のつまり、出力装置の最大能力で印刷処理できる内容で画像の展開処理が行なわれる。また、ステップ（９０５）では画像の解像度は低くなるような画像変換処理などの、出力装置の能力が１００％発揮できない、つまり完全な状態での印字結果が得られないような画像変換処理が施された画像展開処理が行なわれる。
【０１２３】
このようにして、ステップ（９０４）もしくはステップ（９０５）の処理によって、画像の展開処理が完了すると、処理はステップ（９０６）に移行し、画像の出力動作が行なわれ、該出力動作が完了すると、処理はステップ（９０７）に移行して、印字処理をリターンする。
【０１２４】
上記実施形態によれば、着脱可能な記録媒体に画像情報を格納する画像処理装置側において事前に許可された入力装置と出力装置の組み合わせでないと、該記録媒体に記録された画像情報を出力する画像処理装置側において１００％完全な印刷結果が得られないようにすることで、画像の不正出力を防止することが可能となる。
【０１２５】
以下、図１１に示すメモリマップを参照して本発明に係る画像処理装置を適用可能な画像処理システムで読み出し可能なデータ処理プログラムの構成について説明する。
【０１２６】
図１１は、本発明に係る画像処理装置を適用可能な画像処理システムで読み出し可能な各種データ処理プログラムを格納する記憶媒体のメモリマップを説明する図である。
【０１２７】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１２８】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１２９】
本実施形態における図３，図４，図６，図８，図１０に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１３０】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１３１】
この場合、記憶媒体から読み出されたプログラムコード自体が本発明の新規な機能を実現することになり、そのプログラムコードを記憶した記憶媒体は本発明を構成することになる。
【０１３２】
プログラムコードを供給するための記憶媒体としては、例えば、フロッピーディスク，ハードディスク，光ディスク，光磁気ディスク，ＣＤ−ＲＯＭ，ＣＤ−Ｒ，磁気テープ，不揮発性のメモリカード，ＲＯＭ，ＥＥＰＲＯＭ等を用いることができる。
【０１３３】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１３４】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１３５】
【発明の効果】
以上説明したように、本発明によれば、不正な画像出力を確実に防止できる。
【０１３６】
また、所定の記録媒体から入力されている各画像データと各画像データに関する内容を記述した情報ファイルとを読み出し可能な画像処理装置において、記録媒体に記録されている画像データを出力する際に、該記録媒体に記憶された所定の記録媒体から読み出される画像データの情報ファイルにより特定される画像出力機器の情報及び各画像データの出力を制限する管理情報と、前記出力手段に設定されるデバイス情報及び入力される管理情報とを比較判別して、画像データの出力処理を制御することにより、記録媒体に記録された画像データに対する出力環境を調整して、画像データ出力時に入力された管理番号が記録媒体に記録された情報ファイルから特定される出力環境と一致しない場合には、該画像データの出力態様を変更して、正常な画像出力が行えないように一定の制限を加えることで、不正な画像出力を確実に防止できる画像処理環境を自在に構築することができるという効果を奏する。
【図面の簡単な説明】
【図１】本発明の第１実施形態を示す画像処理装置の画像出力装置側の構成を説明するブロック図である。
【図２】本発明の第１実施形態を示す画像処理装置の画像入力装置側の構成を説明するためのブロック図である。
【図３】本発明に係る画像処理装置における第１のデータ処理手順の一例を示すフローチャートである。
【図４】本発明に係る画像処理装置における第２のデータ処理手順の一例を示すフローチャートである。
【図５】図２に示した操作部に表示される画像書込操作画面の一例を示す図である。
【図６】本発明に係る画像処理装置における第３のデータ処理手順の一例を示すフローチャートである。
【図７】本発明に係る画像処理装置における記録メディアに格納されるサムネイル画像の一例を示す図である。
【図８】本発明に係る画像処理装置における第４のデータ処理手順の一例を示すフローチャートである。
【図９】図１に示した操作部に表示される画像情報の設定操作画面の一例を示す図である。
【図１０】本発明に係る画像処理装置における第５のデータ処理手順の一例を示すフローチャートである。
【図１１】本発明に係る画像処理装置を適用可能な画像処理システムで読み出し可能な各種データ処理プログラムを格納する記憶媒体のメモリマップを説明する図である。
【符号の説明】
１０１  操作部
１０２  インタフェース部
１０３  ＣＰＵ
１０４  ＲＯＭ
１０５  カード読取りユニット
１０６  画像処理部
１０７  ＲＡＭ
１０８  プリンタ部
２０１  操作部
２０２  インタフェース部
２０３  ＣＰＵ
２０４  ＲＯＭ
２０５  カード読取りユニット
２０６  画像処理部
２０７  ＲＡＭ
２０８  スキャナ部
【図１】
0003927777.tif 000002
【図２】
0003927777.tif 000003
【図３】
0003927777.tif 000004
【図４】
0003927777.tif 000005
【図５】
0003927777.tif 000006
【図６】
0003927777.tif 000007
【図７】
0003927777.tif 000008
【図８】
0003927777.tif 000009
【図９】
0003927777.tif 000010
【図１０】
0003927777.tif 000011
【図１１】
0003927777.tif 000012